(57)【要約】  本発明は、データ伝送方法及び装置、コンピュータ機器を開示し、前記方法は、ネットワーク機器がデータをターゲット端末に送信し、前記データを少なくとも２つの端末を含む第１機器グループに送信することを前記ターゲット端末に指示するステップを含む。ターゲット端末がネットワーク機器により送信されたデータを受信し、前記ターゲット端末が前記ネットワーク機器の指示に基づいて、前記データを少なくとも２つの端末を含む第１機器グループに送信する。
2021516466.tif 000002
【特許請求の範囲】
【請求項１】
ネットワーク機器がデータをターゲット端末に送信し、前記データを少なくとも２つの端末を含む第１機器グループに送信することを前記ターゲット端末に指示するステップを含む、データ伝送方法。
【請求項２】
前記ネットワーク機器がデータをターゲット端末に送信するステップは、
前記ネットワーク機器が論理チャネル、ベアラ、データストリーム、プロトコルデータユニット（ＰＤＵ）セッション、ＩＰチャネルのうちの少なくとも１つのリソース属性を有する第１伝送リソースにおいて、前記データを前記ターゲット端末に送信するステップを含む、請求項１に記載の方法。
【請求項３】
前記第１伝送リソースのリソース属性は、前記データが転送対象のデータであることを指示するために用いられる、請求項２に記載の方法。
【請求項４】
前記第１伝送リソースのリソース属性は、前記データ転送先の機器グループが前記第１機器グループであることを指示するために用いられる、請求項２に記載の方法。
【請求項５】
前記ネットワーク機器が機器グループの各々に対して対応する伝送リソースを設定し、異なる伝送リソースが異なるリソース属性を有するステップをさらに含む、請求項４に記載の方法。
【請求項６】
前記ネットワーク機器が前記データを前記ターゲット端末に送信するとき、前記データが転送対象のデータであることを指示するための指示情報を前記ターゲット端末に送信するステップをさらに含む、請求項１に記載の方法。
【請求項７】
前記指示情報は、さらに、前記データ転送先の機器グループが前記第１機器グループであることを指示するために用いられる、請求項６に記載の方法。
【請求項８】
第１端末がネットワークアタッチを行うとき、前記ネットワーク機器が前記第１端末を前記第１機器グループの、データ転送機能をサポートするターゲット端末として設定するステップをさらに含む、請求項１〜７のいずれか１項に記載の方法。
【請求項９】
前記ネットワーク機器が第１端末のサブスクリプション情報及び／端末能力に基づいて、前記第１端末を前記第１機器グループの、データ転送機能をサポートするターゲット端末として決定するステップをさらに含む、請求項１〜７のいずれか１項に記載の方法。
【請求項１０】
前記第１伝送リソースは、
前記第１伝送リソースが前記ネットワーク機器の設定情報により決定される方式と、
前記第１伝送リソースが事前設定されたプロトコルにより決定される方式と、
前記第１伝送リソースがサブスクリプション情報により決定される方式と、のうちの１つに基づいて決定される、請求項２〜５のいずれか１項に記載の方法。
【請求項１１】
前記ターゲット端末は、前記第１機器グループ中の端末であり、又は、
前記ターゲット端末は、前記第１機器グループ以外の端末である、請求項１〜１０のいずれか１項に記載の方法。
【請求項１２】
ターゲット端末がネットワーク機器により送信されたデータを受信するステップと、
前記ターゲット端末が前記ネットワーク機器の指示に基づいて、前記データを少なくとも２つの端末を含む第１機器グループに送信するステップとを含む、データ伝送方法。
【請求項１３】
前記ターゲット端末がネットワーク機器により送信されたデータを受信するステップは、
前記ターゲット端末が、論理チャネル、ベアラ、データストリーム、ＰＤＵセッション、ＩＰチャネルのうちの少なくとも１つのリソース属性を有する第１伝送リソースにおいてネットワーク機器により送信された前記データを受信するステップを含む、請求項１２に記載の方法。
【請求項１４】
前記第１伝送リソースのリソース属性は、前記データが転送対象のデータであることを指示するために用いられる、請求項１３に記載の方法。
【請求項１５】
前記第１伝送リソースのリソース属性は、前記データ転送先の機器グループが前記第１機器グループであることを指示するために用いられる、請求項１３に記載の方法。
【請求項１６】
前記ターゲット端末が前記ネットワーク機器により送信されたデータを受信した後、前記ネットワーク機器により送信された、前記データが転送対象のデータであることを指示するための指示情報をさらに受信するステップをさらに含む、請求項１２に記載の方法。
【請求項１７】
前記指示情報は、さらに、前記データ転送先の機器グループが前記第１機器グループであることを指示するために用いられる、請求項１６に記載の方法。
【請求項１８】
前記ターゲット端末が前記ネットワーク機器の指示に基づいて、前記データを第１機器グループに送信するステップは、
前記ターゲット端末が前記ネットワーク機器の指示に基づいて、前記第１機器グループに対応する第２伝送リソースにおいて前記データを前記第１機器グループに送信するステップを含む、請求項１２〜１７のいずれか１項に記載の方法。
【請求項１９】
前記第２伝送リソースは、
前記ターゲット端末及び前記第１機器グループ中の端末インターフェースにおける物理リソースと、
前記ターゲット端末及び前記第１機器グループ中の端末インターフェースにおける論理チャネルと、
前記ターゲット端末及び前記第１機器グループ中の端末インターフェースにおけるベアラと、
前記ターゲット端末及び前記第１機器グループ中の端末インターフェースにおけるデータストリームと、
前記ターゲット端末及び前記第１機器グループ中の端末インターフェースにおけるＰＤＵセッションと、
前記ターゲット端末及び前記第１機器グループ中の端末インターフェースにおけるＩＰチャネルと、
前記ターゲット端末及び前記第１機器グループ中の端末インターフェースにおける物理層識別子と、
前記第１機器グループのグループ識別子と、のうちの少なくとも１つのリソース属性を有する、請求項１８に記載の方法。
【請求項２０】
前記第１伝送リソースは、
前記第１伝送リソースが前記ネットワーク機器の設定情報により決定される方式と、
前記第１伝送リソースが事前設定されたプロトコルにより決定される方式と、
前記第１伝送リソースがサブスクリプション情報により決定される方式と、のうちの１つに基づいて決定される、請求項１３〜１５のいずれか１項に記載の方法。
【請求項２１】
前記第２伝送リソースが前記ターゲット端末により決定され、
前記ターゲット端末が前記第２伝送リソースを前記ネットワーク機器及び前記第１機器グループ中の各端末に通知するステップ、又は、
前記ターゲット端末が前記第２伝送リソースを前記ネットワーク機器に通知し、前記ネットワーク機器が前記第２伝送リソースを確認した後に、前記第２伝送リソースを前記第１機器グループ中の各端末に通知するステップをさらに含む、請求項１８または１９に記載の方法。
【請求項２２】
前記第１伝送リソースと前記第２伝送リソースとの間のマッピング関係は、
前記第１伝送リソースと前記第２伝送リソースとの間のマッピング関係が前記ネットワーク機器の設定情報により決定される方式と、
前記第１伝送リソースと前記第２伝送リソースとの間のマッピング関係が事前設定されたプロトコルにより決定される方式と、
前記第１伝送リソースと前記第２伝送リソースとの間のマッピング関係がサブスクリプション情報により決定される方式と、のうちの１つに基づいて決定される、請求項１８または１９に記載の方法。
【請求項２３】
前記ターゲット端末は、前記第１機器グループ中の端末であり、又は、
前記ターゲット端末は、前記第１機器グループ以外の端末である、請求項１２〜２２のいずれか１項に記載の方法。
【請求項２４】
データをターゲット端末に送信するための送信ユニットと、
前記データを少なくとも２つの端末を含む第１機器グループに送信することを前記ターゲット端末に指示するための指示ユニットとを備える、データ伝送装置。
【請求項２５】
前記送信ユニットは、論理チャネル、ベアラ、データストリーム、ＰＤＵセッション、ＩＰチャネルのうちの少なくとも１つのリソース属性を有する第１伝送リソースにおいて前記データを前記ターゲット端末に送信するために用いられる、請求項２４に記載の装置。
【請求項２６】
前記指示ユニットは、前記第１伝送リソースのリソース属性によって、前記データが転送対象のデータであることを指示するために用いられる、請求項２５に記載の装置。
【請求項２７】
前記指示ユニットは、前記第１伝送リソースのリソース属性によって、前記データ転送先の機器グループが前記第１機器グループであることを指示するために用いられる、請求項２５に記載の装置。
【請求項２８】
機器グループの各々に対して対応する伝送リソースを設定するための第１設定ユニットをさらに備え、異なる伝送リソースが異なるリソース属性を有する、請求項２７に記載の装置。
【請求項２９】
前記指示ユニットは、前記送信ユニットが前記データを前記ターゲット端末に送信するとき、前記データが転送対象のデータであることを指示するための指示情報を前記ターゲット端末に送信するために用いられる、請求項２４に記載の装置。
【請求項３０】
前記指示情報は、さらに、前記データ転送先の機器グループが前記第１機器グループであることを指示するために用いられる、請求項２９に記載の装置。
【請求項３１】
第１端末がネットワークアタッチを行うとき、前記第１端末を前記第１機器グループの、データ転送機能をサポートするターゲット端末として設定するための第２設定ユニットをさらに備える、請求項２４〜３０のいずれか１項に記載の装置。
【請求項３２】
第１端末のサブスクリプション情報及び／端末能力に基づいて、前記第１端末を前記第１機器グループの、データ転送機能をサポートするターゲット端末として決定する決定ユニットをさらに備える、請求項２４〜３０のいずれか１項に記載の装置。
【請求項３３】
前記第１伝送リソースは、
前記第１伝送リソースが前記ネットワーク機器の設定情報により決定される方式と、
前記第１伝送リソースが事前設定されたプロトコルにより決定される方式と、
前記第１伝送リソースがサブスクリプション情報により決定される方式と、のうちの１つに基づいて決定される請求項２５〜２８のいずれか１項に記載の装置。
【請求項３４】
前記ターゲット端末は、前記第１機器グループ中の端末であり、又は、
前記ターゲット端末は、前記第１機器グループ以外の端末である、請求項２４〜３３のいずれか１項に記載の装置。
【請求項３５】
ネットワーク機器により送信されたデータを受信するための受信ユニットと、
前記ネットワーク機器の指示に基づいて、前記データを少なくとも２つの端末を含む第１機器グループに送信する転送ユニットとを備える、データ伝送装置。
【請求項３６】
前記受信ユニットは、論理チャネル、ベアラ、データストリーム、ＰＤＵセッション、ＩＰチャネルのうちの少なくとも１つのリソース属性を有する第１伝送リソースにおいて送信された前記データのために用いられる、請求項３５に記載の装置。
【請求項３７】
前記第１伝送リソースのリソース属性は、前記データが転送対象のデータであることを指示するために用いられる、請求項３６に記載の装置。
【請求項３８】
前記第１伝送リソースのリソース属性は、前記データ転送先の機器グループが前記第１機器グループであることを指示するために用いられる、請求項３６に記載の装置。
【請求項３９】
前記受信ユニットは、さらに、前記ネットワーク機器により送信された、前記データが転送対象のデータであることを指示するための指示情報を受信するために用いられる、請求項３５に記載の装置。
【請求項４０】
前記指示情報は、さらに、前記データ転送先の機器グループが前記第１機器グループであることを指示するために用いられる、請求項３９に記載の装置。
【請求項４１】
前記転送ユニットは、前記ネットワーク機器の指示に基づいて、前記第１機器グループに対応する第２伝送リソースにおいて前記データを前記第１機器グループに送信するために用いられる、請求項３５〜４０のいずれか１項に記載の装置。
【請求項４２】
前記第２伝送リソースは、
前記ターゲット端末及び前記第１機器グループ中の端末インターフェースにおける物理リソースと、
前記ターゲット端末及び前記第１機器グループ中の端末インターフェースにおける論理チャネルと、
前記ターゲット端末及び前記第１機器グループ中の端末インターフェースにおけるベアラと、
前記ターゲット端末及び前記第１機器グループ中の端末インターフェースにおけるデータストリームと、
前記ターゲット端末及び前記第１機器グループ中の端末インターフェースにおけるＰＤＵセッションと、
前記ターゲット端末及び前記第１機器グループ中の端末インターフェースにおけるＩＰチャネルと、
前記ターゲット端末及び前記第１機器グループ中の端末インターフェースにおける物理層識別子と、
前記第１機器グループのグループ識別子と、のうちの少なくとも１つのリソース属性を有する、請求項４１に記載の装置。
【請求項４３】
前記第１伝送リソースは、
前記第１伝送リソースが前記ネットワーク機器の設定情報により決定される方式と、
前記第１伝送リソースが事前設定されたプロトコルにより決定される方式と、
前記第１伝送リソースがサブスクリプション情報により決定される方式と、のうちの１つに基づいて決定される、請求項３６〜３８のいずれか１項に記載の装置。
【請求項４４】
前記第２伝送リソースが前記ターゲット端末により決定され、
前記第２伝送リソースを前記ネットワーク機器及び前記第１機器グループ中の各端末に通知し、又は、前記第２伝送リソースを前記ネットワーク機器に通知し、前記ネットワーク機器が前記第２伝送リソースを確認した後に、前記第２伝送リソースを前記第１機器グループ中の各端末に通知するための通知ユニットをさらに備える、請求項４１または４２に記載の装置。
【請求項４５】
前記第１伝送リソースと前記第２伝送リソースとの間のマッピング関係は、
前記第１伝送リソースと前記第２伝送リソースとの間のマッピング関係が前記ネットワーク機器の設定情報により決定される方式と、
前記第１伝送リソースと前記第２伝送リソースとの間のマッピング関係が事前設定されたプロトコルにより決定される方式と、
前記第１伝送リソースと前記第２伝送リソースとの間のマッピング関係がサブスクリプション情報により決定される方式と、のうちの１つに基づいて決定される、請求項４１または４２に記載の装置。
【請求項４６】
前記ターゲット端末は、前記第１機器グループ中の端末であり、又は、
前記ターゲット端末は、前記第１機器グループ以外の端末である、請求項３５〜４５のいずれか１項に記載の装置。
【請求項４７】
コンピュータ実行可能命令が記憶され、該コンピュータ実行可能命令がプロセッサにより実行されるとき、請求項１〜１１のいずれか１項に記載の方法のステップ、又は請求項１２〜２３のいずれか１項に記載の方法のステップを実現する、コンピュータ記憶媒体。
【発明の詳細な説明】
【技術分野】
【０００１】
本発明は、無線通信の技術分野に関し、特にデータ伝送方法及び装置、コンピュータ記憶媒体に関する。
【背景技術】
【０００２】
将来のネットワークでは、大量のモノのインターネット（ＩｏＴ、Ｉｎｔｅｒｎｅｔ  ｏｆ  Ｔｈｉｎｇｓ）機器が存在する。従来のプロトコルでは、モノのインターネット機器、例えばウェアラブルデバイス又はスマートホームデバイスは、一般的に、オーナーのスマートフォンに接続され、この接続は、それらの間の直接インターフェース、例えばサイドリンク（ｓｉｄｅｌｉｎｋ）インターフェースを介する直接接続であってもよい。ネットワークがこの端末グループ（例えば、ウェアラブルデバイス＋スマートフォン）にメッセージを送信する必要があるとき、従来の方式に従って、端末の各々にデータを送信するため、リソースをひどく浪費してしまう。
【発明の概要】
【発明が解決しようとする課題】
【０００３】
上記技術的課題を解決するために、本発明の実施例は、データ伝送方法及び装置、コンピュータ記憶媒体を提供する。
【課題を解決するための手段】
【０００４】
本発明の実施例に係るデータ伝送方法は、
ネットワーク機器がデータをターゲット端末に送信し、前記データを少なくとも２つの端末を含む第１機器グループに送信することを前記ターゲット端末に指示するステップを含む。
【０００５】
本発明の実施例では、前記ネットワーク機器がデータをターゲット端末に送信するステップは、
前記ネットワーク機器が論理チャネル、ベアラ、データストリーム、プロトコルデータユニット（ＰＤＵ、Ｐｒｏｔｏｃｏｌ  Ｄａｔａ  Ｕｎｉｔ）セッション、ＩＰチャネルのうちの少なくとも１つのリソース属性を有する第１伝送リソースにおいて前記データを前記ターゲット端末に送信するステップを含む。
【０００６】
本発明の実施例では、前記第１伝送リソースのリソース属性は、前記データが転送対象のデータであることを指示するために用いられる。
【０００７】
本発明の実施例では、前記第１伝送リソースのリソース属性は、前記データ転送先の機器グループが前記第１機器グループであることを指示するために用いられる。
【０００８】
本発明の実施例では、前記方法は、
前記ネットワーク機器が機器グループの各々に対して対応する伝送リソースを設定し、異なる伝送リソースが異なるリソース属性を有するステップをさらに含む。
【０００９】
本発明の実施例では、前記方法は、
前記ネットワーク機器が前記データを前記ターゲット端末に送信するとき、前記データが転送対象のデータであることを指示するための指示情報を前記ターゲット端末に送信するステップをさらに含む。
【００１０】
本発明の実施例では、前記指示情報は、さらに、前記データ転送先の機器グループが前記第１機器グループであることを指示するために用いられる。
【００１１】
本発明の実施例では、前記方法は、
第１端末がネットワークアタッチを行うとき、前記ネットワーク機器が前記第１端末を前記第１機器グループの、データ転送機能をサポートするターゲット端末として設定するステップをさらに含む。
【００１２】
本発明の実施例では、前記方法は、
前記ネットワーク機器が第１端末のサブスクリプション情報及び／端末能力に基づいて、前記第１端末を前記第１機器グループの、データ転送機能をサポートするターゲット端末として決定するステップをさらに含む。
【００１３】
本発明の実施例では、前記第１伝送リソースは、
前記第１伝送リソースが前記ネットワーク機器の設定情報により決定される方式と、
前記第１伝送リソースが事前設定されたプロトコルにより決定される方式と、
前記第１伝送リソースがサブスクリプション情報により決定される方式と、のうちの１つに基づいて決定される。
【００１４】
本発明の実施例では、前記ターゲット端末は、前記第１機器グループ中の端末であり、又は、
前記ターゲット端末は、前記第１機器グループ以外の端末である。
【００１５】
本発明の実施例に係るデータ伝送方法は、
ターゲット端末がネットワーク機器により送信されたデータを受信するステップと、
前記ターゲット端末が前記ネットワーク機器の指示に基づいて、前記データを少なくとも２つの端末を含む第１機器グループに送信するステップとを含む。
【００１６】
本発明の実施例では、前記ターゲット端末がネットワーク機器により送信されたデータを受信するステップは、
前記ターゲット端末が、論理チャネル、ベアラ、データストリーム、ＰＤＵセッション、ＩＰチャネルのうちの少なくとも１つのリソース属性を有する第１伝送リソースにおいてネットワーク機器により送信された前記データを受信するステップを含む。
【００１７】
本発明の実施例では、前記第１伝送リソースのリソース属性は、前記データが転送対象のデータであることを指示するために用いられる。
【００１８】
本発明の実施例では、前記第１伝送リソースのリソース属性は、前記データ転送先の機器グループが前記第１機器グループであることを指示するために用いられる。
【００１９】
本発明の実施例では、前記方法は、
前記ターゲット端末が前記ネットワーク機器により送信されたデータを受信した後、前記ネットワーク機器により送信された、前記データが転送対象のデータであることを指示するための指示情報をさらに受信するステップをさらに含む。
【００２０】
本発明の実施例では、前記指示情報は、さらに、前記データ転送先の機器グループが前記第１機器グループであることを指示するために用いられる。
【００２１】
本発明の実施例では、前記ターゲット端末が前記ネットワーク機器の指示に基づいて、前記データを第１機器グループに送信するステップは、
前記ターゲット端末が前記ネットワーク機器の指示に基づいて、前記第１機器グループに対応する第２伝送リソースにおいて前記データを前記第１機器グループに送信するステップを含む。
【００２２】
本発明の実施例では、前記第２伝送リソースは、
前記ターゲット端末及び前記第１機器グループ中の端末インターフェースにおける物理リソースと、
前記ターゲット端末及び前記第１機器グループ中の端末インターフェースにおける論理チャネルと、
前記ターゲット端末及び前記第１機器グループ中の端末インターフェースにおけるベアラと、
前記ターゲット端末及び前記第１機器グループ中の端末インターフェースにおけるデータストリームと、
前記ターゲット端末及び前記第１機器グループ中の端末インターフェースにおけるＰＤＵセッションと、
前記ターゲット端末及び前記第１機器グループ中の端末インターフェースにおけるＩＰチャネルと、
前記ターゲット端末及び前記第１機器グループ中の端末インターフェースにおける物理層識別子と、
前記第１機器グループのグループ識別子と、のうちの少なくとも１つのリソース属性を有する。
【００２３】
本発明の実施例では、前記第１伝送リソースは、
前記第１伝送リソースが前記ネットワーク機器の設定情報により決定される方式と、
前記第１伝送リソースが事前設定されたプロトコルにより決定される方式と、
前記第１伝送リソースがサブスクリプション情報により決定される方式と、のうちの１つに基づいて決定される。
【００２４】
本発明の実施例では、前記第２伝送リソースが前記ターゲット端末により決定され、前記方法は、
前記ターゲット端末が前記第２伝送リソースを前記ネットワーク機器及び前記第１機器グループ中の各端末に通知するステップ、又は、
前記ターゲット端末が前記第２伝送リソースを前記ネットワーク機器に通知し、前記ネットワーク機器が前記第２伝送リソースを確認した後に、前記第２伝送リソースを前記第１機器グループ中の各端末に通知するステップをさらに含む。
【００２５】
本発明の実施例では、前記第１伝送リソースと前記第２伝送リソースとの間のマッピング関係は、
前記第１伝送リソースと前記第２伝送リソースとの間のマッピング関係が前記ネットワーク機器の設定情報により決定される方式と、
前記第１伝送リソースと前記第２伝送リソースとの間のマッピング関係が事前設定されたプロトコルにより決定される方式と、
前記第１伝送リソースと前記第２伝送リソースとの間のマッピング関係がサブスクリプション情報により決定される方式と、のうちの１つに基づいて決定される。
【００２６】
本発明の実施例では、前記ターゲット端末は、前記第１機器グループ中の端末であり、又は、
前記ターゲット端末は、前記第１機器グループ以外の端末である。
【００２７】
本発明の実施例に係るデータ伝送装置は、
データをターゲット端末に送信するための送信ユニットと、
前記データを少なくとも２つの端末を含む第１機器グループに送信することを前記ターゲット端末に指示するための指示ユニットとを備える。
【００２８】
本発明の実施例では、前記送信ユニットは、論理チャネル、ベアラ、データストリーム、ＰＤＵセッション、ＩＰチャネルのうちの少なくとも１つのリソース属性を有する第１伝送リソースにおいて前記データを前記ターゲット端末に送信するために用いられる。
【００２９】
本発明の実施例では、前記指示ユニットは、前記第１伝送リソースのリソース属性によって、前記データが転送対象のデータであることを指示するために用いられる。
【００３０】
本発明の実施例では、前記指示ユニットは、前記第１伝送リソースのリソース属性によって、前記データ転送先の機器グループが前記第１機器グループであることを指示するために用いられる。
【００３１】
本発明の実施例では、前記方法は、
機器グループの各々に対して対応する伝送リソースを設定するための第１設定ユニットをさらに備え、異なる伝送リソースが異なるリソース属性を有する。
【００３２】
本発明の実施例では、前記指示ユニットは、前記送信ユニットが前記データを前記ターゲット端末に送信するとき、前記データが転送対象のデータであることを指示するための指示情報を前記ターゲット端末に送信するために用いられる。
【００３３】
本発明の実施例では、前記指示情報は、さらに、前記データ転送先の機器グループが前記第１機器グループであることを指示するために用いられる。
【００３４】
本発明の実施例では、前記装置は、
第１端末がネットワークアタッチを行うとき、前記第１端末を前記第１機器グループの、データ転送機能をサポートするターゲット端末として設定するための第２設定ユニットをさらに備える。
【００３５】
本発明の実施例では、前記装置は、
第１端末のサブスクリプション情報及び／端末能力に基づいて、前記第１端末を前記第１機器グループの、データ転送機能をサポートするターゲット端末として決定するための決定ユニットをさらに備える。
【００３６】
本発明の実施例では、前記第１伝送リソースは、
前記第１伝送リソースが前記ネットワーク機器の設定情報により決定される方式と、
前記第１伝送リソースが事前設定されたプロトコルにより決定される方式と、
前記第１伝送リソースがサブスクリプション情報により決定される方式と、のうちの１つに基づいて決定される。
【００３７】
本発明の実施例では、前記ターゲット端末は、前記第１機器グループ中の端末であり、又は、
前記ターゲット端末は、前記第１機器グループ以外の端末である。
【００３８】
本発明の実施例に係るデータ伝送装置は、
ネットワーク機器により送信されたデータを受信するための受信ユニットと、
前記ネットワーク機器の指示に基づいて、前記データを少なくとも２つの端末を含む第１機器グループに送信するための転送ユニットとを備える。
【００３９】
本発明の実施例では、前記受信ユニットは、論理チャネル、ベアラ、データストリーム、ＰＤＵセッション、ＩＰチャネルのうちの少なくとも１つのリソース属性を有する第１伝送リソースにおいて送信された前記データのために用いられる。
【００４０】
本発明の実施例では、前記第１伝送リソースのリソース属性は、前記データが転送対象のデータであることを指示するために用いられる。
【００４１】
本発明の実施例では、前記第１伝送リソースのリソース属性は、前記データ転送先の機器グループが前記第１機器グループであることを指示するために用いられる。
【００４２】
本発明の実施例では、前記受信ユニットは、さらに、前記ネットワーク機器により送信された、前記データが転送対象のデータであることを指示するための指示情報を受信するために用いられる。
【００４３】
本発明の実施例では、前記指示情報は、さらに、前記データ転送先の機器グループが前記第１機器グループであることを指示するために用いられる。
【００４４】
本発明の実施例では、前記転送ユニットは、前記ネットワーク機器の指示に基づいて、前記第１機器グループに対応する第２伝送リソースにおいて前記データを前記第１機器グループに送信するために用いられる。
【００４５】
本発明の実施例では、前記第２伝送リソースは、
前記ターゲット端末及び前記第１機器グループ中の端末インターフェースにおける物理リソースと、
前記ターゲット端末及び前記第１機器グループ中の端末インターフェースにおける論理チャネルと、
前記ターゲット端末及び前記第１機器グループ中の端末インターフェースにおけるベアラと、
前記ターゲット端末及び前記第１機器グループ中の端末インターフェースにおけるデータストリームと、
前記ターゲット端末及び前記第１機器グループ中の端末インターフェースにおけるＰＤＵセッションと、
前記ターゲット端末及び前記第１機器グループ中の端末インターフェースにおけるＩＰチャネルと、
前記ターゲット端末及び前記第１機器グループ中の端末インターフェースにおける物理層識別子と、
前記第１機器グループのグループ識別子と、のうちの少なくとも１つのリソース属性を有する。
【００４６】
本発明の実施例では、前記第１伝送リソースは、
前記第１伝送リソースが前記ネットワーク機器の設定情報により決定される方式と、
前記第１伝送リソースが事前設定されたプロトコルにより決定される方式と、
前記第１伝送リソースがサブスクリプション情報により決定される方式と、のうちの１つに基づいて決定される。
【００４７】
本発明の実施例では、前記第２伝送リソースが前記ターゲット端末により決定され、前記装置は、
前記第２伝送リソースを前記ネットワーク機器及び前記第１機器グループ中の各端末に通知し、又は、前記第２伝送リソースを前記ネットワーク機器に通知し、前記ネットワーク機器が前記第２伝送リソースを確認した後に、前記第２伝送リソースを前記第１機器グループ中の各端末に通知するための通知ユニットをさらに備える。
【００４８】
本発明の実施例では、前記第１伝送リソースと前記第２伝送リソースとの間のマッピング関係は、
前記第１伝送リソースと前記第２伝送リソースとの間のマッピング関係が前記ネットワーク機器の設定情報により決定される方式と、
前記第１伝送リソースと前記第２伝送リソースとの間のマッピング関係が事前設定されたプロトコルにより決定される方式と、
前記第１伝送リソースと前記第２伝送リソースとの間のマッピング関係がサブスクリプション情報により決定される方式と、のうちの１つに基づいて決定される。
【００４９】
本発明の実施例では、前記ターゲット端末は、前記第１機器グループ中の端末であり、又は、
前記ターゲット端末は、前記第１機器グループ以外の端末である。
【００５０】
本発明の実施例に係るコンピュータ記憶媒体は、コンピュータ実行可能命令が記憶され、該コンピュータ実行可能命令がプロセッサにより実行されるとき、上記データ伝送方法を実現する。
【発明の効果】
【００５１】
本発明の実施例の技術案では、ネットワーク機器は、データをターゲット端末に送信し、前記データを少なくとも２つの端末を含む第１機器グループに送信することを前記ターゲット端末に指示する。本発明の実施例の技術案を用いると、ネットワークがデータを１つの機器グループに送信する必要があるとき、まずデータを該機器グループ内の指定端末（すなわちターゲット端末）に送信し、次にこの指定端末を介してデータをグループの形態で該機器グループ内のその他の端末に送信し、このようなグループデータの中継伝送方式は、該機器グループの端末の各々にデータを送信する必要がなく、リソース浪費を避ける。
【図面の簡単な説明】
【００５２】
ここで説明される図面は、本発明に対する更なる理解を提供するためのものであり、本願の一部を構成し、本発明の例示的な実施例及びその説明は、本発明を解釈するためのものであり、本発明を不適切に限定するものではない。
【図１】図１は本発明の実施例の５Ｇネットワークのシステムアーキテクチャ図である。
【図２】図２は本発明の実施例の４Ｇネットワークのシステムアーキテクチャ図である。
【図３】図３は本発明の実施例のデータ伝送方法の概略フローチャート１である。
【図４】図４は本発明の実施例のデータ伝送方法の概略フローチャート２である。
【図５】図５は本発明の実施例のデータ伝送装置の概略構成図１である。
【図６】図６は本発明の実施例のデータ伝送装置の概略構成図２である。
【図７】図７は本発明の実施例のコンピュータ機器の概略構成図である。
【発明を実施するための形態】
【００５３】
本発明の実施例の特徴及び技術的内容を詳しく把握するために、以下、図面を参照しながら、本発明の実施例の実現について詳細に説明し、添付の図面は、参照して説明するためのものに過ぎず、本発明の実施例を限定するためのものではない。
【００５４】
図１は、本発明の実施例の５Ｇネットワークのシステムアーキテクチャ図であり、図１に示すように、５Ｇネットワークシステムに係る機器は、
端末（ＵＥ、Ｕｓｅｒ  Ｅｑｕｉｐｍｅｎｔ）、無線アクセスネットワーク（ＲＡＮ、Ｒａｄｉｏ  Ａｃｃｅｓｓ  Ｎｅｔｗｏｒｋ）、ユーザープレーン機能（ＵＰＦ、Ｕｓｅｒ  Ｐｌａｎｅ  Ｆｕｎｃｔｉｏｎ）、データネットワーク（ＤＮ、Ｄａｔａ  Ｎｅｔｗｏｒｋ）、アクセス及び移動性管理機能（ＡＭＦ、Ｃｏｒｅ  Ａｃｃｅｓｓ  ａｎｄ  Ｍｏｂｉｌｉｔｙ  Ｍａｎａｇｅｍｅｎｔ  Ｆｕｎｃｔｉｏｎ）、セッション管理機能（ＳＭＦ、Ｓｅｓｓｉｏｎ  Ｍａｎａｇｅｍｅｎｔ  Ｆｕｎｃｔｉｏｎ）、ポリシ制御機能（ＰＣＦ、Ｐｏｌｉｃｙ  Ｃｏｎｔｒｏｌ  ｆｕｎｃｔｉｏｎ）、アプリケーション機能（ＡＦ、Ａｐｐｌｉｃａｔｉｏｎ  Ｆｕｎｃｔｉｏｎ）、認証サーバ機能（ＡＵＳＦ、Ａｕｔｈｅｎｔｉｃａｔｉｏｎ  Ｓｅｒｖｅｒ  Ｆｕｎｃｔｉｏｎ）、統合されたデータ管理（ＵＤＭ、Ｕｎｉｆｉｅｄ  Ｄａｔａ  Ｍａｎａｇｅｍｅｎｔ）を含む。
【００５５】
図２は、本発明の実施例の４Ｇネットワークのシステムアーキテクチャ図であり、図２に示すように、４Ｇネットワークシステムに係る装置は、
端末（ＵＥ、Ｕｓｅｒ  Ｅｑｕｉｐｍｅｎｔ）、進化型ユニバーサル地上無線アクセスネットワーク（Ｅ−ＵＴＲＡＮ、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）、移動性管理エンティティ（ＭＭＥ、Ｍｏｂｉｌｉｔｙ  Ｍａｎａｇｅｍｅｎｔ  Ｅｎｔｉｔｙ）ネットワークエレメント、サービングＧＰＲＳ  サポートノード（ＳＧＳＮ、Ｓｅｒｖｉｎｇ  ＧＰＲＳ  Ｓｕｐｐｏｒｔ  Ｎｏｄｅ）、ホーム加入者サーバ（ＨＳＳ、Ｈｏｍｅ  Ｓｕｂｓｃｒｉｂｅｒ  Ｓｅｒｖｅｒ）、サービングゲートウェイ（Ｓｅｒｖｉｎｇ  Ｇａｔｅｗａｙ）、パケットデータネットワークゲートウェイ（ＰＤＮ  Ｇａｔｅｗａｙ、Ｐａｃｋｅｔ  Ｄａｔａ  Ｎｅｔｗｏｒｋ  Ｇａｔｅｗａｙ）、ポリシおよび課金ルール機能（ＰＣＲＦ、Ｐｏｌｉｃｙ  ａｎｄ  Ｃｈａｒｇｉｎｇ  Ｒｕｌｅｓ  Ｆｕｎｃｔｉｏｎ）を含む。
【００５６】
上記図１、図２の例は、単に本発明の実施例を実現する１つのネットワークアーキテクチャの例であり、本発明の実施例は、上記図１、図２に示されるネットワーク構造に限られない。
【００５７】
図３は、本発明の実施例のデータ伝送方法の概略フローチャート１であり、図３に示すように、前記データ伝送方法は、以下のステップを含む。
ステップ３０１では、ネットワーク機器がデータをターゲット端末に送信し、前記データを少なくとも２つの端末を含む第１機器グループに送信することを前記ターゲット端末に指示する。
【００５８】
ここで、ターゲット端末とは、第１機器グループ中の１つの特殊な端末であり、該ターゲット端末は、データ転送機能を有し、中継端末と呼称することができる。
【００５９】
本発明の実施例では、１つの機器グループ中のターゲット端末は、以下の方式により決定されることができる。
方式１、第１端末がネットワークアタッチを行うとき、前記ネットワーク機器は、前記第１端末を前記第１機器グループの、データ転送機能をサポートするターゲット端末として設定する。
【００６０】
ここで、第１端末がネットワークにアタッチするとき、ネットワーク機器は、この第１端末をある機器グループ（例えば、第１機器グループ）のターゲット端末として指定することができる。
【００６１】
方式２、前記ネットワーク機器は、第１端末のサブスクリプション情報及び／端末能力に基づいて前記第１端末を前記第１機器グループの、データ転送機能をサポートするターゲット端末として決定する。
【００６２】
ここで、第１端末は、サブスクリプションするときに、ある機器グループ（例えば、第１機器グループ）のターゲット端末としてサブスクリプションすることができ、ネットワーク機器は、第１端末のサブスクリプション情報によって第１端末がターゲット端末であることが分かる。
【００６３】
本発明の実施例では、前記ターゲット端末は、前記第１機器グループ中の端末であり、又は、前記ターゲット端末は、前記第１機器グループ以外の端末である。ターゲット端末の所属する機器グループは、第１機器グループに限られず、さらにその他の機器グループ、例えば第２機器グループ、第３機器グループなどに属してもよい。理解されるように、１つの端末は、１つの機器グループに属してもよく、同時に複数の機器グループに属してもよく、異なる機器グループは部分的に、同じ端末を有してもよい。
【００６４】
本発明の実施例では、ネットワーク機器がデータをターゲット端末に送信した後、前記データを第１機器グループに送信することを前記ターゲット端末に指示し、このように、ターゲット端末は、データを受信した後に該データを第１機器グループ中のその他の端末に転送する。
【００６５】
本発明の実施例では、ターゲット端末が如何に、データ転送先の機器グループがどの機器グループ（例えば、第１機器グループ）であるかを決定することは、以下の方式により実現することができる。
方式１、前記ネットワーク機器が論理チャネル、ベアラ、データストリーム、ＰＤＵセッション、ＩＰチャネルのうちの少なくとも１つのリソース属性を有する第１伝送リソースにおいて前記データを前記ターゲット端末に送信する。
【００６６】
一実施形態では、前記第１伝送リソースのリソース属性は、前記データが転送対象のデータであることを指示するために用いられる。
【００６７】
一実施形態では、前記第１伝送リソースのリソース属性は、前記データ転送先の機器グループが前記第１機器グループであることを指示するために用いられる。
【００６８】
本発明の実施例では、前記ネットワーク機器が機器グループの各々に対して対応する伝送リソースを設定し、異なる伝送リソースが異なるリソース属性を有する。
【００６９】
方式２、前記ネットワーク機器が前記データを前記ターゲット端末に送信するとき、前記データが転送対象のデータであることを指示するための指示情報を前記ターゲット端末に送信する。
【００７０】
一実施形態では、前記指示情報は、さらに、前記データ転送先の機器グループが前記第１機器グループであることを指示するために用いられる。
【００７１】
ここで、ネットワーク機器は、１つの指示情報によって、前記データが転送対象のデータであること、及び前記データ転送先の機器グループが前記第１機器グループであることを前記ターゲット端末に指示することができる。一実施形態では、前記指示情報は、前記データに搭載されてターゲット端末に一括送信することができる。
【００７２】
本発明の実施例では、前記第１伝送リソースは、
前記第１伝送リソースが前記ネットワーク機器の設定情報により決定される方式と、
前記第１伝送リソースが事前設定されたプロトコルにより決定される方式と、
前記第１伝送リソースがサブスクリプション情報により決定される方式と、のうちの１つに基づいて決定される。
【００７３】
図４は、本発明の実施例のデータ伝送方法の概略フローチャート２であり、図４に示すように、前記データ伝送方法は、以下のステップを含む。
ステップ４０１では、ターゲット端末がネットワーク機器により送信されたデータを受信する。
【００７４】
ステップ４０２では、前記ターゲット端末が前記ネットワーク機器の指示に基づいて、前記データを少なくとも２つの端末を含む第１機器グループに送信する。
【００７５】
本発明の実施例では、ネットワーク機器は、前記データを第１機器グループに送信することを端末に指示することについて、暗示的な方式によって指示してもよく、明示的な方式によって指示してもよい。
【００７６】
１）暗示的な指示方式について、前記ターゲット端末が、論理チャネル、ベアラ、データストリーム、ＰＤＵセッション、ＩＰチャネルのうちの少なくとも１つのリソース属性を有する第１伝送リソースにおいてネットワーク機器により送信された前記データを受信する。
【００７７】
一実施形態では、前記第１伝送リソースのリソース属性は、前記データが転送対象のデータであることを指示するために用いられる。
【００７８】
一実施形態では、前記第１伝送リソースのリソース属性は、前記データ転送先の機器グループが前記第１機器グループであることを指示するために用いられる。
【００７９】
２）明示的な指示方式について、前記ターゲット端末が前記ネットワーク機器により送信されたデータを受信した後、前記ネットワーク機器により送信された、前記データが転送対象のデータであることを指示するための指示情報をさらに受信する。一実施形態では、前記指示情報は、さらに、前記データ転送先の機器グループが前記第１機器グループであることを指示するために用いられる。
【００８０】
本発明の実施例では、前記ターゲット端末が前記ネットワーク機器の指示に基づいて、前記第１機器グループに対応する第２伝送リソースにおいて前記データを前記第１機器グループに送信する。
【００８１】
前記第２伝送リソースは、
前記ターゲット端末及び前記第１機器グループ中の端末インターフェースにおける物理リソースと、
前記ターゲット端末及び前記第１機器グループ中の端末インターフェースにおける論理チャネルと、
前記ターゲット端末及び前記第１機器グループ中の端末インターフェースにおけるベアラと、
前記ターゲット端末及び前記第１機器グループ中の端末インターフェースにおけるデータストリームと、
前記ターゲット端末及び前記第１機器グループ中の端末インターフェースにおけるＰＤＵセッションと、
前記ターゲット端末及び前記第１機器グループ中の端末インターフェースにおけるＩＰチャネルと、
前記ターゲット端末及び前記第１機器グループ中の端末インターフェースにおける物理層識別子と、
前記第１機器グループのグループ識別子と、のうちの少なくとも１つのリソース属性を有する。
【００８２】
本発明の実施例では、前記第１伝送リソースは、
前記第１伝送リソースが前記ネットワーク機器の設定情報により決定される方式と、
前記第１伝送リソースが事前設定されたプロトコルにより決定される方式と、
前記第１伝送リソースがサブスクリプション情報により決定される方式と、のうちの１つに基づいて決定される。
【００８３】
本発明の実施例では、前記第２伝送リソースが前記ターゲット端末により決定され、前記方法は、
前記ターゲット端末が前記第２伝送リソースを前記ネットワーク機器及び前記第１機器グループ中の各端末に通知するステップ、又は、
前記ターゲット端末が前記第２伝送リソースを前記ネットワーク機器に通知し、前記ネットワーク機器が前記第２伝送リソースを確認した後に、前記第２伝送リソースを前記第１機器グループ中の各端末に通知するステップをさらに含む。
【００８４】
本発明の実施例では、前記第１伝送リソースと前記第２伝送リソースとの間のマッピング関係は、
前記第１伝送リソースと前記第２伝送リソースとの間のマッピング関係が前記ネットワーク機器の設定情報により決定される方式と、
前記第１伝送リソースと前記第２伝送リソースとの間のマッピング関係が事前設定されたプロトコルにより決定される方式と、
前記第１伝送リソースと前記第２伝送リソースとの間のマッピング関係がサブスクリプション情報により決定される方式と、のうちの１つに基づいて決定される。
【００８５】
本発明の実施例では、前記ターゲット端末は、前記第１機器グループ中の端末であり、又は、前記ターゲット端末は、前記第１機器グループ以外の端末である。
【００８６】
図５は、本発明の実施例のデータ伝送装置の概略構成図１であり、図５に示すように、前記データ伝送装置は、
データをターゲット端末に送信するための送信ユニット５０１と、
前記データを少なくとも２つの端末を含む第１機器グループに送信することを前記ターゲット端末に指示するための指示ユニット５０２とを備える。
【００８７】
一実施形態では、前記送信ユニット５０１は、論理チャネル、ベアラ、データストリーム、ＰＤＵセッション、ＩＰチャネルのうちの少なくとも１つのリソース属性を有する第１伝送リソースにおいて前記データを前記ターゲット端末に送信するために用いられる。
【００８８】
一実施形態では、前記指示ユニット５０２は、前記第１伝送リソースのリソース属性によって、前記データが転送対象のデータであることを指示するために用いられる。
【００８９】
一実施形態では、前記指示ユニット５０２は、前記第１伝送リソースのリソース属性によって、前記データ転送先の機器グループが前記第１機器グループであることを指示するために用いられる。
【００９０】
一実施形態では、前記方法は、
機器グループの各々に対して対応する伝送リソースを設定するための第１設定ユニット５０３をさらに備え、異なる伝送リソースが異なるリソース属性を有する。
【００９１】
一実施形態では、前記指示ユニット５０２は、前記送信ユニットが前記データを前記ターゲット端末に送信するとき、前記データが転送対象のデータであることを指示するための指示情報を前記ターゲット端末に送信するために用いられる。
【００９２】
一実施形態では、前記指示情報は、さらに、前記データ転送先の機器グループが前記第１機器グループであることを指示するために用いられる。
【００９３】
一実施形態では、前記装置は、
第１端末がネットワークアタッチを行うとき、前記第１端末を前記第１機器グループの、データ転送機能をサポートするターゲット端末として設定するための第２設定ユニット５０４をさらに備える。
【００９４】
一実施形態では、前記装置は、
第１端末のサブスクリプション情報及び／端末能力に基づいて、前記第１端末を前記第１機器グループの、データ転送機能をサポートするターゲット端末として決定するための決定ユニット５０５をさらに備える。
【００９５】
一実施形態では、前記第１伝送リソースは、
前記第１伝送リソースが前記ネットワーク機器の設定情報により決定される方式と、
前記第１伝送リソースが事前設定されたプロトコルにより決定される方式と、
前記第１伝送リソースがサブスクリプション情報により決定される方式と、のうちの１つに基づいて決定される。
【００９６】
一実施形態では、前記ターゲット端末は、前記第１機器グループ中の端末であり、又は、前記ターゲット端末は、前記第１機器グループ以外の端末である。
【００９７】
当業者であれば理解できるように、図５に示すデータ伝送装置における各ユニットの実現機能が上記データ伝送方法についての関連説明を参照して理解できる。図５に示すデータ伝送装置における各ユニットの機能は、プロセッサに実行されるプログラムによって実現されてもよく、特定の論理回路によって実現されてもよい。
【００９８】
図６は、本発明の実施例のデータ伝送装置の概略構成図２であり、図６に示すように、前記データ伝送装置は、
ネットワーク機器により送信されたデータを受信するための受信ユニット６０１と、
前記ネットワーク機器の指示に基づいて、前記データを少なくとも２つの端末を含む第１機器グループに送信するための転送ユニット６０２とを備える。
【００９９】
一実施形態では、前記受信ユニット６０１は、論理チャネル、ベアラ、データストリーム、ＰＤＵセッション、ＩＰチャネルのうちの少なくとも１つのリソース属性を有する第１伝送リソースにおいて送信された前記データのために用いられる。
【０１００】
一実施形態では、前記第１伝送リソースのリソース属性は、前記データが転送対象のデータであることを指示するために用いられる。
【０１０１】
一実施形態では、前記第１伝送リソースのリソース属性は、前記データ転送先の機器グループが前記第１機器グループであることを指示するために用いられる。
【０１０２】
一実施形態では、前記受信ユニット６０１は、さらに、前記ネットワーク機器により送信された、前記データが転送対象のデータであることを指示するための指示情報を受信するために用いられる。
【０１０３】
一実施形態では、前記指示情報は、さらに、前記データ転送先の機器グループが前記第１機器グループであることを指示するために用いられる。
【０１０４】
一実施形態では、前記転送ユニット６０２は、前記ネットワーク機器の指示に基づいて、前記第１機器グループに対応する第２伝送リソースにおいて前記データを前記第１機器グループに送信するために用いられる。
【０１０５】
一実施形態では、前記第２伝送リソースは、
前記ターゲット端末及び前記第１機器グループ中の端末インターフェースにおける物理リソースと、
前記ターゲット端末及び前記第１機器グループ中の端末インターフェースにおける論理チャネルと、
前記ターゲット端末及び前記第１機器グループ中の端末インターフェースにおけるベアラと、
前記ターゲット端末及び前記第１機器グループ中の端末インターフェースにおけるデータストリームと、
前記ターゲット端末及び前記第１機器グループ中の端末インターフェースにおけるＰＤＵセッションと、
前記ターゲット端末及び前記第１機器グループ中の端末インターフェースにおけるＩＰチャネルと、
前記ターゲット端末及び前記第１機器グループ中の端末インターフェースにおける物理層識別子と、
前記第１機器グループのグループ識別子と、のうちの少なくとも１つのリソース属性を有する。
【０１０６】
一実施形態では、前記第１伝送リソースは、
前記第１伝送リソースが前記ネットワーク機器の設定情報により決定される方式と、
前記第１伝送リソースが事前設定されたプロトコルにより決定される方式と、
前記第１伝送リソースがサブスクリプション情報により決定される方式と、のうちの１つに基づいて決定される。
【０１０７】
一実施形態では、前記第２伝送リソースが前記ターゲット端末により決定され、前記装置は、
前記第２伝送リソースを前記ネットワーク機器及び前記第１機器グループ中の各端末に通知し、又は、前記第２伝送リソースを前記ネットワーク機器に通知し、前記ネットワーク機器が前記第２伝送リソースを確認した後に、前記第２伝送リソースを前記第１機器グループ中の各端末に通知するための通知ユニット６０３をさらに備える。
【０１０８】
一実施形態では、前記第１伝送リソースと前記第２伝送リソースとの間のマッピング関係は、
前記第１伝送リソースと前記第２伝送リソースとの間のマッピング関係が前記ネットワーク機器の設定情報により決定される方式と、
前記第１伝送リソースと前記第２伝送リソースとの間のマッピング関係が事前設定されたプロトコルにより決定される方式と、
前記第１伝送リソースと前記第２伝送リソースとの間のマッピング関係がサブスクリプション情報により決定される方式と、のうちの１つに基づいて決定される。
【０１０９】
一実施形態では、前記ターゲット端末は、前記第１機器グループ中の端末であり、又は、前記ターゲット端末は、前記第１機器グループ以外の端末である。
【０１１０】
当業者であれば理解できるように、図６に示すデータ伝送装置における各ユニットの実現機能が上記データ伝送方法についての関連説明を参照して理解できる。図６に示すデータ伝送装置における各ユニットの機能は、プロセッサに実行されるプログラムによって実現されてもよく、特定の論理回路によって実現されてもよい。
【０１１１】
本発明の実施例の上記データ伝送装置は、ソフトウェア機能モジュールの形態として実現され、独立した製品として販売または使用される場合、１つのコンピュータ読み取り可能な記憶媒体に記憶されてもよい。このような理解に基づき、本発明の実施例の技術案は、本質的にソフトウェア製品の形態で実現されてもよく、又は従来技術に貢献する部分がソフトウェア製品の形態で実現されてもよく、該コンピュータソフトウェア製品は、１つの記憶媒体に記憶されてもよく、１つのコンピュータ機器（パーソナルコンピュータ、サーバ、又はネットワーク機器などあってもよい）に本発明の各実施例に記載の方法のすべて又は一部を実行させるためのいくつかのコマンドを含む。上記記憶媒体は、Ｕディスク、モバイルディスク、読み出し専用メモリ（ＲＯＭ、Ｒｅａｄ  Ｏｎｌｙ  Ｍｅｍｏｒｙ）、磁気ディスク又は光ディスクなどプログラムコードを記憶できる各種の媒体を含む。このように、本発明の実施例は、いかなる特定のハードウェアとソフトウェアの組み合わせに限定されない。
【０１１２】
それに対応して、本発明の実施例は、コンピュータ実行可能命令が記憶され、該コンピュータ実行可能命令がプロセッサにより実行されるとき、本発明の実施例の上記データ伝送方法を実現するコンピュータ記憶媒体をさらに提供する。
【０１１３】
図７は、本発明の実施例のコンピュータ機器の概略構成図であり、該コンピュータ機器は、端末であってもよく、ネットワーク機器であってもよい。図７に示すように、コンピュータ機器１００は、１つ以上の（図に１つだけ示される）プロセッサ１００２（プロセッサ１００２は、マイクロプロセッサー（ＭＣＵ、Ｍｉｃｒｏ  Ｃｏｎｔｒｏｌｌｅｒ  Ｕｎｉｔ）またはプログラマブルロジックデバイス（ＦＰＧＡ、Ｆｉｅｌｄ  Ｐｒｏｇｒａｍｍａｂｌｅ  Ｇａｔｅ  Ａｒｒａｙ）などの処理装置を含んでもよいがそれらに限られない）、データを記憶するためのメモリ１００４、及び通信機能用の伝送装置１００６を備えてもよい。当業者であれば、図７に示す構造は例示的なものに過ぎず、上記電子装置の構造を限定するものではないことを理解できる。例えば、コンピュータ機器１００は、図７に示すものより多く又は少ないユニットを備えてもよく、又は、図７に示すものと異なる構成を有してもよい。
【０１１４】
メモリ１００４は、アプリケーションソフトウエアのソフトウェアプログラム及びモジュール、例えば本発明の実施例における方法に対応するプログラム命令／モジュールを記憶してもよく、プロセッサ１００２は、メモリ１００４に記憶されるソフトウェアプログラム及びモジュールを実行することによって、様々な機能応用及びデータ処理を実行し、すなわち上記方法を実現する。メモリ１００４は、高速ランダムアクセスメモリを備えてもよく、不揮発性メモリ、例えば１以上の磁気メモリ、フラッシュメモリ、又はその他の不揮発性ソリッドステートメモリをさらに備えてもよい。いくつかの例では、メモリ１００４は、プロセッサ１００２に対して遠隔に設けられるメモリをさらに備えてもよく、これらの遠隔メモリがネットワークを介してコンピュータ機器１００に接続することができる。上記ネットワークの例は、インターネット、イントラネット、ローカルエリアネットワーク、移動体通信網及びその組合せを含むがこれらに限られない。
【０１１５】
伝送装置１００６は、１つのネットワークを経由してデータを受信又は送信するために用いられる。上記ネットワークの具体例は、コンピュータ機器１００の通信プロバイダーにより提供される無線ネットワークを備えてもよい。一例では、伝送装置１００６は、基地局によってその他のネットワーク機器に接続することで、インターネットと通信できる１つのネットワークインタフェースコントローラ（ＮＩＣ、Ｎｅｔｗｏｒｋ  Ｉｎｔｅｒｆａｃｅ  Ｃｏｎｔｒｏｌｌｅｒ）を備える。一例では、伝送装置１００６は、無線方式によってインターネットと通信するための無線周波数（ＲＦ、Ｒａｄｉｏ  Ｆｒｅｑｕｅｎｃｙ）モジュールであってもよい。
【産業上の利用可能性】
【０１１６】
本発明の実施例に記載の技術案の間は、矛盾しない場合、任意に組み合わせることができる。
【０１１７】
本発明に係るいくつかの実施例では、開示される方法及びインテリジェント装置は、他の方式で実現されてもよいと理解できる。以上説明された装置実施例は、例示的なものに過ぎず、例えば、前記ユニットの区分は、論理機能の区分に過ぎず、実際に実現するとき、他の区分方式があってもよく、例えば複数のユニットまたはコンポーネントは組み合わせ又は他のシステムに集積されてもよく、又はいくつかの特徴は無視してもよく、又は実行しなくてもよい。一方、表示又は検討された各構成部分の相互間の結合、または直接結合、または通信接続はいくつかのインターフェース、装置又はユニットによる間接結合又は通信接続であってもよく、電気的、機械的又は他の形態であってもよい。
【０１１８】
分離部材として説明された上記ユニットは物理的に分離してもよく、物理的に分離しなくてもよく、ユニットとして表示された部材は物理ユニットであってもよく、物理ユニットでなくてもよく、すなわち、一箇所に位置してもよく、複数のネットワークユニットに分散してもよい。実際の必要に応じて、その一部又はすべてのユニットを選択して本実施例案の目的を実現してもよい。
【０１１９】
また、本発明の各実施例における各機能ユニットは、すべて１つの第２処理ユニットに集積されてもよく、各ユニットはそれぞれ独立して１つのユニットとしてもよく、２つ以上のユニットは１つのユニットに集積されてもよく、上記集積されたユニットは、ハードウェアの形態で実現されてもよく、ハードウェア・ソフトウェア機能ユニットの形態で実現されてもよい。
【０１２０】
以上は、本発明の具体的な実施形態に過ぎず、本発明の特許範囲はこれに限定されず、当業者が本発明に開示される技術範囲内に容易に想到できる変更や置換は、すべて本発明の特許請求範囲に含まれる。
【図１】
2021516466.tif 000003
【図２】
2021516466.tif 000004
【図３】
2021516466.tif 000005
【図４】
2021516466.tif 000006
【図５】
2021516466.tif 000007
【図６】
2021516466.tif 000008
【図７】
2021516466.tif 000009
【手続補正書】
【提出日】令和3年1月5日(2021.1.5)
【手続補正２】
【補正対象書類名】明細書
【補正対象項目名】００１２
【補正方法】変更
【補正の内容】
【００１２】
本発明の実施例では、前記方法は、
前記ネットワーク機器が第１端末のサブスクリプション情報及び／又は端末能力に基づいて、前記第１端末を前記第１機器グループの、データ転送機能をサポートするターゲット端末として決定するステップをさらに含む。
【手続補正３】
【補正対象書類名】明細書
【補正対象項目名】００３１
【補正方法】変更
【補正の内容】
【００３１】
本発明の実施例では、前記装置は、
機器グループの各々に対して対応する伝送リソースを設定するための第１設定ユニットをさらに備え、異なる伝送リソースが異なるリソース属性を有する。
【手続補正４】
【補正対象書類名】明細書
【補正対象項目名】００３５
【補正方法】変更
【補正の内容】
【００３５】
本発明の実施例では、前記装置は、
第１端末のサブスクリプション情報及び／又は端末能力に基づいて、前記第１端末を前記第１機器グループの、データ転送機能をサポートするターゲット端末として決定するための決定ユニットをさらに備える。
【手続補正５】
【補正対象書類名】明細書
【補正対象項目名】００３９
【補正方法】変更
【補正の内容】
【００３９】
本発明の実施例では、前記受信ユニットは、論理チャネル、ベアラ、データストリーム、ＰＤＵセッション、ＩＰチャネルのうちの少なくとも１つのリソース属性を有する第１伝送リソースにおいて送信された前記データを受信するために用いられる。
【手続補正６】
【補正対象書類名】明細書
【補正対象項目名】００６１
【補正方法】変更
【補正の内容】
【００６１】
方式２、前記ネットワーク機器は、第１端末のサブスクリプション情報及び／又は端末能力に基づいて前記第１端末を前記第１機器グループの、データ転送機能をサポートするターゲット端末として決定する。
【手続補正７】
【補正対象書類名】明細書
【補正対象項目名】００９０
【補正方法】変更
【補正の内容】
【００９０】
一実施形態では、前記装置は、
機器グループの各々に対して対応する伝送リソースを設定するための第１設定ユニット５０３をさらに備え、異なる伝送リソースが異なるリソース属性を有する。
【手続補正８】
【補正対象書類名】明細書
【補正対象項目名】００９４
【補正方法】変更
【補正の内容】
【００９４】
一実施形態では、前記装置は、
第１端末のサブスクリプション情報及び／又は端末能力に基づいて、前記第１端末を前記第１機器グループの、データ転送機能をサポートするターゲット端末として決定するための決定ユニット５０５をさらに備える。
【手続補正９】
【補正対象書類名】明細書
【補正対象項目名】００９９
【補正方法】変更
【補正の内容】
【００９９】
一実施形態では、前記受信ユニット６０１は、論理チャネル、ベアラ、データストリーム、ＰＤＵセッション、ＩＰチャネルのうちの少なくとも１つのリソース属性を有する第１伝送リソースにおいて送信された前記データを受信するために用いられる。
【手続補正１０】
【補正対象書類名】特許請求の範囲
【補正対象項目名】全文
【補正方法】変更
【補正の内容】
【特許請求の範囲】
【請求項１】
ターゲット端末がネットワーク機器により送信されたデータを受信するステップと、
前記ターゲット端末が前記ネットワーク機器の指示に基づいて、前記データを少なくとも２つの端末を含む第１機器グループに送信するステップとを含む、データ伝送方法。
【請求項２】
前記ターゲット端末がネットワーク機器により送信されたデータを受信するステップは、
前記ターゲット端末が、論理チャネル、ベアラ、データストリーム、ＰＤＵセッション、ＩＰチャネルのうちの少なくとも１つのリソース属性を有する第１伝送リソースにおいてネットワーク機器により送信された前記データを受信するステップを含む、請求項１に記載の方法。
【請求項３】
前記第１伝送リソースのリソース属性は、前記データが転送対象のデータであることを指示するために用いられる、請求項２に記載の方法。
【請求項４】
前記第１伝送リソースのリソース属性は、前記データ転送先の機器グループが前記第１機器グループであることを指示するために用いられる、請求項２に記載の方法。
【請求項５】
前記ターゲット端末が前記ネットワーク機器により送信されたデータを受信した後、前記ネットワーク機器により送信された、前記データが転送対象のデータであることを指示するための指示情報をさらに受信するステップをさらに含む、請求項１に記載の方法。
【請求項６】
前記指示情報は、さらに、前記データ転送先の機器グループが前記第１機器グループであることを指示するために用いられる、請求項５に記載の方法。
【請求項７】
前記ターゲット端末が前記ネットワーク機器の指示に基づいて、前記データを第１機器グループに送信するステップは、
前記ターゲット端末が前記ネットワーク機器の指示に基づいて、前記第１機器グループに対応する第２伝送リソースにおいて前記データを前記第１機器グループに送信するステップを含む、請求項１〜６のいずれか１項に記載の方法。
【請求項８】
前記第２伝送リソースは、
前記ターゲット端末及び前記第１機器グループ中の端末インターフェースにおける物理リソースと、
前記ターゲット端末及び前記第１機器グループ中の端末インターフェースにおける論理チャネルと、
前記ターゲット端末及び前記第１機器グループ中の端末インターフェースにおけるベアラと、
前記ターゲット端末及び前記第１機器グループ中の端末インターフェースにおけるデータストリームと、
前記ターゲット端末及び前記第１機器グループ中の端末インターフェースにおけるＰＤＵセッションと、
前記ターゲット端末及び前記第１機器グループ中の端末インターフェースにおけるＩＰチャネルと、
前記ターゲット端末及び前記第１機器グループ中の端末インターフェースにおける物理層識別子と、
前記第１機器グループのグループ識別子と、のうちの少なくとも１つのリソース属性を有する、請求項７に記載の方法。
【請求項９】
前記第１伝送リソースは、
前記第１伝送リソースが前記ネットワーク機器の設定情報により決定される方式と、
前記第１伝送リソースが事前設定されたプロトコルにより決定される方式と、
前記第１伝送リソースがサブスクリプション情報により決定される方式と、のうちの１つに基づいて決定される、請求項２〜４のいずれか１項に記載の方法。
【請求項１０】
前記第２伝送リソースが前記ターゲット端末により決定され、
前記ターゲット端末が前記第２伝送リソースを前記ネットワーク機器及び前記第１機器グループ中の各端末に通知するステップ、又は、
前記ターゲット端末が前記第２伝送リソースを前記ネットワーク機器に通知し、前記ネットワーク機器が前記第２伝送リソースを確認した後に、前記第２伝送リソースを前記第１機器グループ中の各端末に通知するステップをさらに含む、請求項７または８に記載の方法。
【請求項１１】
前記第１伝送リソースと前記第２伝送リソースとの間のマッピング関係は、
前記第１伝送リソースと前記第２伝送リソースとの間のマッピング関係が前記ネットワーク機器の設定情報により決定される方式と、
前記第１伝送リソースと前記第２伝送リソースとの間のマッピング関係が事前設定されたプロトコルにより決定される方式と、
前記第１伝送リソースと前記第２伝送リソースとの間のマッピング関係がサブスクリプション情報により決定される方式と、のうちの１つに基づいて決定される、請求項７または８に記載の方法。
【請求項１２】
前記ターゲット端末は、前記第１機器グループ中の端末であり、又は、
前記ターゲット端末は、前記第１機器グループ以外の端末である、請求項１〜１１のいずれか１項に記載の方法。
【請求項１３】
請求項１〜１２のいずれか１項に記載の方法を実行するように構成されるデータ伝送装置。
【請求項１４】
データをターゲット端末に送信するための送信ユニットと、
前記データを少なくとも２つの端末を含む第１機器グループに送信することを前記ターゲット端末に指示するための指示ユニットとを備える、データ伝送装置。
【請求項１５】
前記送信ユニットは、論理チャネル、ベアラ、データストリーム、ＰＤＵセッション、ＩＰチャネルのうちの少なくとも１つのリソース属性を有する第１伝送リソースにおいて前記データを前記ターゲット端末に送信するために用いられる、請求項１４に記載の装置。
【国際調査報告】
2021516466.tif 000010
2021516466.tif 000011
2021516466.tif 000012
2021516466.tif 000013